(57)【要約】【課題】分離線及び連接線によって区画形成された起立部が、分離線によって分離されて連接線を軸として起立するシートを有する構成において、シートの分離線以外の領域を破断しにくくしながらも、起立部が起立していない状態においては起立部を安定して固定しておく。【解決手段】起立部２を分離するための分離線が、起立部２が分離を開始する分離開始部５から二手に分かれて折り部８に向かう形状を有し、その一部に、二手に分かれた部分の間隔が折り部８に向かうにつれて広がっていく第１の領域を有し、第１の領域の少なくとも一部がスリットによって構成され、第１の領域以外の領域の少なくとも一部がマイクロミシンによって構成されている。【選択図】図１
2016124145.tif 000002
【特許請求の範囲】
【請求項１】
分離線及び連接線によって区画形成された起立部が、前記分離線によって分離されて前記連接線を軸として起立する第１のシートを有してなる切り起こしフォームであって、
前記分離線は、
前記起立部が分離を開始する分離開始部から二手に分かれて前記連接線に向かう形状を有し、その一部に、前記二手に分かれた部分の間隔が前記連接線に向かうにつれて広がっていく第１の領域を有し、
前記第１の領域の少なくとも一部が、前記第１のシートを表裏貫通したスリットによって構成され、
前記第１の領域以外の領域の少なくとも一部がミシン目によって構成されている、切り起こしフォーム。
【請求項２】
請求項１に記載の切り起こしフォームにおいて、
前記第１のシートに積層された第２のシートを有し、
前記第１のシートは、前記第２のシートとの積層面に読み取り情報が表示されている、切り起こしフォーム。
【請求項３】
請求項１または請求項２に記載の切り起こしフォームにおいて、
前記スリットの一部にタイ部が設けられている、切り起こしフォーム。
【発明の詳細な説明】
【技術分野】
【０００１】
本発明は、シートの一部が分離線によって分離して起立する切り起こしフォームに関し、特に、分離線以外の領域が破断してしまうことを回避する技術に関する。
【背景技術】
【０００２】
近年、情報化社会の進展に伴って、情報をカードに記録し、該カードを用いた情報管理や決済等が行われている。例えば、コンピュータネットワーク上の電子店舗における買物を、プリペイドカードを用いて利用可能とするシステムが実用化されている。このようなシステムにおいては、プリペイドカードにＩＤ及びこれに対応づけられたＰＯＳコードが表示されており、プリペイドカードが購入される際、プリペイドカードに表示されたＰＯＳコードがＰＯＳレジにて読み取られることによってプリペイドカードが使用可能な状態となる。その後、プリペイドカードを購入した利用者は、プリペイドカードに表示されたＩＤを用いて、電子店舗にて買物を行うことになる。
【０００３】
このようなプリペイドカードに限らず、近年では様々なカードが普及されており、中には、立体的な構成を有することにより、購入意欲やサービスの利用意欲を掻き立てるものも普及している。
【０００４】
立体的な構成を有するカードの代表的なものとして、ビンゴカードがある。ビンゴカードは、数字が表示された領域のそれぞれが、ミシン目と折り線とで囲まれており、ミシン目を破断して折り線を軸として起立させることができるように構成されている（例えば、特許文献１参照）。
【先行技術文献】
【特許文献】
【０００５】
【特許文献１】特開２００４−２５５１４５号公報
【発明の概要】
【発明が解決しようとする課題】
【０００６】
上述したビンゴカードのように、シートの一部を起立させる構造としては、ミシン目と折り線とが一般的に用いられている。
【０００７】
しかしながら、起立させる領域の形状が複雑な場合、ミシン目を破断していく際、ミシン目が延びる方向が変化する領域や、二手に分かれたミシン目の間隔が広がっていく領域において、それまでミシン目が延びてきた方向や、二手に分かれたミシン目間に破断しようとする力が加わり、ミシン目以外の領域が破断してしまう虞れがある。また、そのような破断を回避するためにミシン目の代わりにスリットを用いた場合、起立させる領域が折り線のみで固定されていることとなり、起立させる領域が不安定な状態となって破損してしまう等、好ましくない。
【０００８】
本発明は、上述したような従来の技術が有する問題点に鑑みてなされたものであって、分離線及び連接線によって区画形成された起立部が、分離線によって分離されて連接線を軸として起立するシートを有する構成において、シートの分離線以外の領域を破断しにくくしながらも、起立部が起立していない状態においては起立部を安定して固定しておくことができる、切り起こしフォームを提供することを目的とする。
【課題を解決するための手段】
【０００９】
上記目的を達成するために本発明は、
分離線及び連接線によって区画形成された起立部が、前記分離線によって分離されて前記連接線を軸として起立する第１のシートを有してなる切り起こしフォームであって、
前記分離線は、
前記起立部が分離を開始する分離開始部から二手に分かれて前記連接線に向かう形状を有し、その一部に、前記二手に分かれた部分の間隔が前記連接線に向かうにつれて広がっていく第１の領域を有し、
前記第１の領域の少なくとも一部が、前記第１のシートを表裏貫通したスリットによって構成され、
前記第１の領域以外の領域の少なくとも一部がミシン目によって構成されている。
【００１０】
上記のように構成された本発明においては、起立部を分離するための分離線が、分離を開始する分離開始部から二手に分かれて連接線に向かう形状を有する構成において、起立部が分離開始部から分離線によって分離されていくが、分離線のうち、二手に分かれた部分の間隔が連接線に向かうにつれて広がっていく第１の領域の少なくとも一部が、起立部を有する第１のシートを表裏貫通したスリットによって構成されているので、分離線が二手に分かれた部分の間隔が連接線に向かうにつれて広がっていく領域においても、分離線に従って起立部が分離していくこととなり、分離線以外の領域が破断しにくくなる。また、第１の領域以外の領域の少なくとも一部がミシン目によって構成されていることにより、起立部が起立していない状態において、連接線以外の領域においても起立部がミシン目によって安定して固定されていることとなる。
【００１１】
また、第１のシートに積層された第２のシートを有し、第１のシートの第２のシートとの積層面に読み取り情報が表示されている構成とし、読み取り情報を用いてプリペイドカード等の用途として使用することが考えられる。
【００１２】
また、スリットの一部にタイ部が設けられている構成とすることにより、起立部が起立していない状態において、分離線がスリットとなった領域においても起立部がタイ部によって安定して固定されることとなる。
【発明の効果】
【００１３】
本発明によれば、起立部を分離するための分離線のうち、二手に分かれた部分の間隔が連接線に向かうにつれて広がっていく第１の領域の少なくとも一部が、起立部を有する第１のシートを表裏貫通したスリットによって構成されていることにより、分離線が二手に分かれた部分の間隔が連接線に向かうにつれて広がっていく領域においても、分離線に従って起立部が分離していくこととなり、分離線以外の領域が破断しにくくなり、また、第１の領域以外の領域の少なくとも一部がミシン目によって構成されていることにより、起立部が起立していない状態において、連接線以外の領域においても起立部をミシン目によって安定して固定しておくことができる。
【００１４】
また、スリットの一部にタイ部が設けられている構成としたものにおいては、起立部が起立していない状態において、分離線がスリットとなった領域においても、起立部をタイ部によって安定して固定しておくことができる。
【図面の簡単な説明】
【００１５】
【図１】本発明の切り起こしフォームの第１の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は（ｂ）に示したＣ−Ｃ’断面図、（ｆ）は裏面側から見た斜視図である。
【図２】図１に示した切り起こしフォームの分解図であり、（ａ）は上紙の表面図、（ｂ）は上紙の裏面図、（ｃ）は下紙の表面図、（ｄ）は下紙の裏面図、（ｅ）は裏台紙の表面図、（ｆ）は裏台紙の裏面図である。
【図３】図１及び図２に示した切り起こしフォームにおけるＰＯＳコード及びＰＩＮコードの利用方法を説明するための図である。
【図４】図１及び図２に示した切り起こしフォームにおいて起立部を起立させる際の作用を説明するための図である。
【図５】本発明の切り起こしフォームの第２の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は（ｂ）に示したＣ−Ｃ’断面図、（ｆ）は裏面側から見た斜視図である。
【図６】図５に示した切り起こしフォームの分解図であり、（ａ）は表台紙の表面図、（ｂ）は表台紙の裏面図、（ｃ）は裏台紙の表面図、（ｄ）は裏台紙の裏面図である。
【図７】図５及び図６に示した切り起こしフォームにおいて起立部を起立させる際の作用を説明するための図である。
【発明を実施するための形態】
【００１６】
以下に、本発明の実施の形態について図面を参照して説明する。
【００１７】
（第１の実施の形態）
図１は、本発明の切り起こしフォームの第１の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は（ｂ）に示したＣ−Ｃ’断面図、（ｆ）は裏面側から見た斜視図である。
【００１８】
本形態の切り起こしフォーム１は図１に示すように、その外形が同一である上紙１１、下紙１２及び第２のシートとなる裏台紙２０が積層されて互いに貼着され、その一部に表裏貫通した孔部３ａが設けられて構成されている。上紙１１と下紙１２とは粘着剤５０によって貼着され、下紙１２と裏台紙２０とは擬似接着剤４０及び剥離ニス３０によって剥離可能に貼着されており、上紙１１と下紙１２とによって第１のシートとなる表台紙１０が構成されている。
【００１９】
表台紙１０には、スリット部６ａ〜６ｃ、タイ部６ｄ，６ｅ、スリット６ｆ〜６ｈ及び、ミシン目となるマイクロミシン７ａ〜７ｅからなる分離線と、折り部８からなる連接線とが形成され、これらスリット部６ａ〜６ｃ、タイ部６ｄ，６ｅ、スリット６ｆ〜６ｈ及びマイクロミシン７ａ〜７ｅと、折り部８とによって起立部２が区画形成されている。スリット部６ａ〜６ｃ及びスリット６ｆ〜６ｈは、表台紙１０を表裏貫通して形成されている。分離線を構成するスリット部６ａ〜６ｃ及びタイ部６ｄ，６ｅは、これらで１つのスリットを構成しており、それにより、スリットの一部にタイ部が設けられた構成となっている。折り部８は、ミシン目によって構成されている。分離線を構成するスリット部６ａ〜６ｃ、タイ部６ｄ，６ｅ、スリット６ｆ〜６ｈ及びマイクロミシン７ａ〜７ｅは、スリット部６ａの一部を剥離開始部５とし、この剥離開始部５から二手に分かれて折り部８の両端に向かっている。二手のうち一方が、スリット部６ａから、タイ部６ｄ、スリット部６ｂ、タイ部６ｅ、スリット部６ｃ、マイクロミシン７ｂ、スリット６ｇ、マイクロミシン７ｄを介して折り部８の一方の端部に達し、二手のうち他方が、スリット部６ａから、マイクロミシン６ｆ、スリット６ｆ、マイクロミシン７ｃ、スリット６ｈ、マイクロミシン７ｅを介して折り部８の他方の端部に達している。これら剥離開始部５から二手に分かれて折り部８の両端部に達する２つの経路は、二手に分かれた部分の間隔が折り部８に向かうに連れて広がっていく第１の領域をその一部に有している。具体的には、まず、スリット部６ａの剥離開始部５からその端部に向かう領域と、スリット部６ｂの折り部８側の端部近傍の領域とそれに対するマイクロミシン７ｃと、スリット６ｈの剥離開始部５側の端部近傍の領域とそれに対するマイクロミシン７ｄと、スリット６ｇの剥離開始部５側の端部近傍の領域とそれに対するスリット６ｈとが、第１の領域となっている。それにより、これら第１の領域のうち、その一部がスリットによって構成されていることになる。また、分離線のうち、第１の領域以外の領域は、スリットやマイクロミシンで構成されている部分が混在しており、それにより、第１の領域以外の領域の少なくとも一部が、マイクロミシンによって構成されている。
【００２０】
裏台紙２０には、表裏貫通した孔部３ｂが設けられており、下紙１２に表示されたＰＯＳコード４ｂが孔部３ｂから表出して視認可能となっている。また、裏台紙２０には、この切り起こしフォーム１の利用方法を示す通知情報２１が表示されている。さらに、裏台紙２０は、切り離し線２２によって剥離片部２３が分離可能に区画形成されている。切り離し線２２は、マイクロミシン２２ａとジッパー部２２ｂとミシン目２２ｃとからなる。マイクロミシン２２ａは半円状のものであり、この半円状の両端部に２本のジッパー部２２ｂが連続している。２本のジッパー部２２ｂは、ヘの字形状に切り込まれた切り込みが、マイクロミシン２２ａの両端部から半円の接線方向に互いに並行するように複数配列して構成されている。ジッパー部２２ｂを構成する複数の切り込みのそれぞれは、ヘの字の短辺がマイクロミシン２２ａ側となって２本のジッパー部２２ｂ間の方向に斜めに延び、また、ヘの字の長辺が、複数の切り込みの配列方向に延びて構成されている。ミシン目２２ｃは、ジッパー部２２ｂのマイクロミシン２２ａとは反対側の端部に、２本のジッパー部２２ｂを繋ぐように設けられている。
【００２１】
以下に、上述した上紙１１、下紙１２及び裏台紙２０の詳細な構成、並びに貼着構造について説明する。
【００２２】
図２は、図１に示した切り起こしフォーム１の分解図であり、（ａ）は上紙１１の表面図、（ｂ）は上紙１１の裏面図、（ｃ）は下紙１２の表面図、（ｄ）は下紙１２の裏面図、（ｅ）は裏台紙２０の表面図、（ｆ）は裏台紙２０の裏面図である。
【００２３】
図２（ａ）〜（ｄ）に示すように、上紙１１及び下紙１２からなる表台紙１０には、スリット部６ａ〜６ｃ、タイ部６ｄ，６ｅ、スリット６ｆ〜６ｈ、マイクロミシン７ａ〜７ｅ及び折り部８が形成されており、タイ部６ｄ，６ｅが破断されることで表台紙１０から起立部２が分離され、折り部８を軸として起立部２が起立するように構成されている。
【００２４】
上紙１１の裏面、すなわち下紙１２との貼着面には、図２（ｂ）に示すように、その全面に粘着剤５０が塗布されており、また、下紙１１の表面、すなわち上紙１１との貼着面には、図２（ｃ）に示すように、その全面に粘着剤５０が塗布されており、上紙１１と下紙１２とがこの粘着剤５０によって貼着されている。
【００２５】
下紙１２の裏面、すなわち裏台紙２０との積層面ともなる貼着面には、図２（ｄ）に示すように、読み取り情報となる、ＰＩＮコード４ａ、ＰＯＳコード４ｂ及びサービスコード４ｃが表示されている。これらＰＩＮコード４ａとＰＯＳコード４ｂとは、互いに対応づけられたものとなっている。また、サービスコード４ｃについても、これらＰＩＮコード４ａ及びＰＯＳコード４ｂと対応づけられたものとしてもよい。ＰＩＮコード４ａは、裏台紙２０の剥離片部２３に対向する領域に表示されており、ＰＯＳコード４ｂは、裏台紙２０の孔部３ｂに対向する領域に表示されており、サービスコード４ｃは、起立部２の裏台紙２０との貼着面に表示されている。また、下紙１２の裏台紙２０との貼着面には、裏台紙２０の切り離し線２２に対向する領域に一定の幅を有して剥離ニス３０が塗布されている。なお、下紙１２の裏面に剥離ニス３０を塗布した後にＰＩＮコード４ａを印字できるように、剥離ニス３０に囲まれた領域は少なくともＰＩＮコード４ａを印字する領域よりも広いことが好ましい。
【００２６】
裏台紙２０には、図２（ｅ），（ｆ）に示すように表裏貫通した孔部３ｂが設けられている。この孔部３ｂは、裏台紙２０が下紙１２と貼着された場合にＰＯＳコード４ｂと対向する領域に設けられている。また、裏台紙２０には、裏台紙２０が下紙１２と貼着された場合にＰＩＮコード４ａと対向する領域に剥離片部２３が切り離し線２２によって裏台紙２０から分離可能に区画形成されている。また、裏台紙２０の下紙１２との貼着面には、下紙１２の剥離ニス３０に囲まれた領域に対向する領域を除く全面に擬似接着剤４０が塗布されている。切り離し線２２は、剥離ニス３０に対向するように形成されており、それにより、裏台紙２０から分離可能に区画形成された剥離片部２３は、その一部のみにて剥離ニス３０及び擬似接着剤４０によって下紙１２に剥離可能に貼着されており、裏台紙２０から分離することで下紙１２から剥離されることになる。裏台紙２０の裏面には、この切り起こしフォーム１の利用方法を示す通知情報２１が表示されている。
【００２７】
上記のように構成された切り起こしフォーム１においては、ＰＩＮコード４ａとＰＯＳコード４ｂとが、互いに対応づけられたものとなっているが、共に下紙１２の裏台紙２０との貼着面に表示されているため、これらを同時に印字することができ、マッチングミスを回避することができる。また、上述したようにサービスコード４ｃとＰＩＮコード４ａ及びＰＯＳコード４ｂとが対応づけられたものとした場合においても、サービスコード４ｃ、ＰＩＮコード４ａ及びＰＯＳコード４ｂの全てが下紙１２の裏台紙２０との貼着面に表示されていることにより、これらを同時に印字することができ、マッチングミスを回避することができる。
【００２８】
以下に、上述した切り起こしフォーム１の使用方法について説明する。
【００２９】
まず、ＰＯＳコード４ｂ及びＰＩＮコード４ａの利用方法について説明する。
【００３０】
図３は、図１及び図２に示した切り起こしフォーム１におけるＰＯＳコード４ｂ及びＰＩＮコード４ａの利用方法を説明するための図である。
【００３１】
図１及び図２に示した切り起こしフォーム１においては、利用者が購入する際、店舗のレジ等において、裏台紙２０の孔部３ｂから視認可能となったＰＯＳコード４ｂが読み取られることにより、サービスの利用が可能となる。この際、表台紙１０が上紙１１と下紙１２との２枚のシートが貼着されて構成されていることによって２枚のシート分の厚さを有しているため、シートとしての腰が強くなり、切り起こしフォーム１が撓んでＰＯＳコード４ｂが読み取りにくくなることが回避される。
【００３２】
そして、切り起こしフォーム１を購入した利用者が、図３（ａ）に示すように、剥離片部２３のマイクロミシン２２ａ側の端部を剥離開始端とし、マイクロミシン２２ａ及びジッパー部２２ｂを破断していくことにより、剥離片部２３が下紙１２から剥離されていく。図１及び図２に示した切り起こしフォーム１においては、剥離片部２３が、マイクロミシン２２ａ、ジッパー部２２ｂ及びミシン目２２ｃからなる切り離し線２２によって裏台紙２０から分離可能に区画形成されているとともに、剥離ニス３０及び擬似接着剤４０によって下紙１２から剥離可能となっているため、切り起こしフォーム１を購入した利用者は、マイクロミシン２２ａ及びジッパー部２２ｂを破断していくことで剥離片部２３を下紙１２から剥離することができる。ここで、２本のジッパー部２２ｂを破断していく際、裏台紙２０が破断しようとする力は、ジッパー部２２ｂを構成する複数の切り込みそれぞれのミシン目２２ｃ側の端部から２本のジッパー部２２ｂ間の方向に斜めに向かう。ところが、ジッパー部２２ｂを構成するへの字形状に切り込まれた切り込みの短辺がマイクロミシン２２ａ側となって２本のジッパー部２２ｂ間の方向に斜めに延びているため、切り込みのミシン目２２ｃ側の端部から裏台紙２０が破断していく方向には、その切り込みのミシン目２２ｃ側に隣接する切り込みの短辺が存在することになり、それにより複数の切り込みが繋がってジッパー部２２ｂが破断していく。
【００３３】
このようにしてマイクロミシン２２ａ及びジッパー部２２ｂが完全に破断されると、図３（ｂ）に示すように、剥離片部２３を下紙１２から剥離して捲り上げることができる。すると、下紙１２の剥離片部２３に対向する領域に表示されたＰＩＮコード４ａが視認可能な状態となり、利用者は、視認可能となったＰＩＮコード４ａを携帯端末に入力してサービス提供サーバに送信すること等により、提供されたサービスを利用することになる。
【００３４】
このように、切り起こしフォーム１を購入した利用者は、マイクロミシン２２ａ及びジッパー部２２ｂを破断していき剥離片部２３を下紙１２から剥離することによって視認可能となったＰＩＮコード４ａを用いてサービスを利用することができる。
【００３５】
なお、ミシン目２２ｃを破断しなくても、上述したように剥離片部２３を捲り上げることによりＰＩＮコード４ａを視認可能な状態とすることができるが、ミシン目２２ｃを破断して剥離片部２３を裏台紙２０から完全に分離してもよい。
【００３６】
次に、起立部２を起立させる際の作用について説明する。
【００３７】
図４は、図１及び図２に示した切り起こしフォーム１において起立部２を起立させる際の作用を説明するための図である。
【００３８】
切り起こしフォーム１を購入した利用者は、上述したようにしてサービスを利用する際、起立部２の裏台紙２０との貼着面に表示されたサービスコード４ｃを用いてサービスを利用することができる。
【００３９】
サービスコード４ｃを用いてサービスを利用する場合は、スリット部６ａ〜６ｃ、タイ部６ｄ，６ｅ、スリット６ｆ〜６ｈ及びマイクロミシン７ａ〜７ｅからなる分離線によって、起立部２を分離していく。この分離線は、剥離開始部５から二手に分かれて折り部８の両端に向かっているので、剥離開始部５から、二手に分かれた部分のそれぞれによって起立部２が分離されていくことになる。分離線によって起立部２を分離していくと、まず、剥離開始部５が、分離線のうちスリット部６ａ上に存在するため、図４（ａ）に示すように、分離線による起立部２の分離領域がスリット部６ａの両端部に達する。この際、スリット部６ａは、剥離開始部５から二手に分かれた部分の間隔が、折り部８に向かうにつれて広がっているものの、表台紙１０を表裏貫通したスリット部６ａであることから、スリット部６ａに従って起立部２が分離していくこととなり、分離線以外の領域が破断することなく起立部２が分離されていく。
【００４０】
分離線による起立部２の分離領域が、スリット部６ａの両端部に達した後、マイクロミシン７ａ及びタイ部６ｄが破断され、さらに、分離線による起立部２の分離領域がスリット部６ｂを介してタイ部６ｅに達するとタイ部６ｅが破断され、分離線による起立部２の分離領域がスリット部６ｃ及びスリット６ｆの剥離開始部５側の端部に達する。そして、分離線による起立部２の分離領域が、スリット部６ｃ及びスリット６ｆによってマイクロミシン７ｂ，７ｃの剥離開始部５側の端部に達する。
【００４１】
そして、図４（ｂ）に示すようにマイクロミシン７ｂ，７ｃが破断していき、分離線による起立部２の分離領域がスリット６ｇ，６ｈの剥離開始部５側の端部に達する。この際、マイクロミシン７ｂ，７ｃは、折り部８に向かってほぼ並行しているため、起立部２を分離しようとする力が、マイクロミシン７ｂ，７ｃが延びる方向以外には加わりにくく、それにより、分離線以外の領域が破断してしまうことはない。
【００４２】
分離線による起立部２の分離領域がスリット６ｇ，６ｈの剥離開始部５側の端部に達すると、分離線による起立部２の分離領域は、スリット６ｇ，６ｈを介して、マイクロミシン７ｄ，７ｅの剥離開始部５側の端部に達する。この際、スリット６ｇ，６ｈは、互いの間隔が、折り部８に向かうにつれて広がる部分があるものの、表台紙１０を表裏貫通したスリット６ｇ，６ｈであることから、スリット６ｇ，６ｈに従って起立部２が分離していくこととなり、図４（ｃ）に示すように、分離線以外の領域が破断することなく起立部２が分離されていく。
【００４３】
その後、マイクロミシン７ｄ，７ｅが破断することにより、分離線による起立部２の分離領域が折り部８の両端部に達すると、図４（ｄ）に示すように、折り部８を軸として起立部２を起立させることができ、起立部２の裏台紙２０との貼着面に表示されたサービスコード４ｃが視認可能な状態となる。そして、視認可能となったサービスコード４ｃを用いてサービスを利用することができる。
【００４４】
このように、本形態においては、起立部２を分離するための分離線が、起立部２が分離を開始する分離開始部５から二手に分かれて折り部８に向かう形状を有し、その一部に、二手に分かれた部分の間隔が折り部８に向かうにつれて広がっていく第１の領域を有しているが、その第１の領域の少なくとも一部が、表台紙１０を表裏貫通したスリットによって構成されていることにより、その領域においてはスリットに従って起立部２が分離していくこととなり、分離線以外の領域が破断しにくくなる。また、そのように分離線以外の領域を破断しにくくするためにスリットを用いた構成において、第１の領域以外の領域の少なくとも一部がマイクロミシンによって構成されていることにより、起立部２が起立していない状態において、折り部８以外の領域においても起立部２をマイクロミシンによって安定して固定しておくことができる。また、スリット部６ａ〜６ｃから構成されるスリットに、スリット部６ａ〜６ｃ間にタイ部６ｄ，６ｅを設けることによって、起立部２が起立していない状態において、起立部２をタイ部６ｄ，６ｅによっても安定して固定しておくことができる。
【００４５】
（第２の実施の形態）
図５は、本発明の切り起こしフォームの第２の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は（ｂ）に示したＣ−Ｃ’断面図、（ｆ）は裏面側から見た斜視図である。また、図６は、図５に示した切り起こしフォーム１０１の分解図であり、（ａ）は表台紙１１０の表面図、（ｂ）は表台紙１１０の裏面図、（ｃ）は裏台紙１２０の表面図、（ｄ）は裏台紙１２０の裏面図である。
【００４６】
本形態の切り起こしフォーム１０１は図５及び図６に示すように、第１の実施の形態に示したものに対して、表台紙１１０が１枚構成であるとともに、起立部１０２の形状が異なるものである。
【００４７】
本形態の切り起こしフォーム１０１における起立部１０２は、分離線が、２つのスリット１０６ａ，１０６ｂと、３つのマイクロミシン１０７ａ〜１０７ｃとから構成されている。これら分離線を構成するスリット１０６ａ，１０６ｂ及びマイクロミシン１０７ａ〜１０７ｃは、スリット１０６ａの一部を剥離開始部１０５とし、この剥離開始部１０５から二手に分かれて折り部１０８の両端に向かっている。二手のうち一方が、スリット１０６ａから、マイクロミシン１０７ａ、スリット１０６ｂ、マイクロミシン１０７ｂを介して折り部１０８の一方の端部に達し、二手のうち他方が、スリット１０６ａから、マイクロミシン１０７ｃを介して折り部１０８の他方の端部に達している。これら剥離開始部１０５から二手に分かれて折り部１０８の両端部に達する２つの経路は、二手に分かれた部分の間隔が折り部１０８に向かうに連れて広がっていく第１の領域をその一部に有している。具体的には、まず、スリット１０６の剥離開始部１０５からその端部に向かう領域と、スリット１０６ｂとそれに対するマイクロミシン１０７ｃとが、第１の領域となっている。そのため、これら第１の領域のうち、その一部がスリットによって構成されていることになる。また、分離線のうち、第１の領域以外の領域は、スリットやマイクロミシンで構成されている部分が混在しており、それにより、第１の領域以外の領域の少なくとも一部が、マイクロミシンによって構成されている。
【００４８】
上記のように構成された切り起こしフォーム１０１においても、第１の実施の形態に示したものと同様に、マイクロミシン１２２ａ及びジッパー部１２２ｂを破断していき剥離片部１２３を表台紙１１０から剥離することによってＰＩＮコード１０４ａを視認可能とし、ＰＩＮコード１０４ａを用いてサービスを利用することができる。
【００４９】
その後、第１の実施の形態に示したものと同様に、切り起こしフォーム１を購入した利用者は、起立部１０２の裏台紙１２０との貼着面に表示されたサービスコード１０４ｃを用いてサービスを利用することができる。
【００５０】
図７は、図５及び図６に示した切り起こしフォーム１０１において起立部１０２を起立させる際の作用を説明するための図である。
【００５１】
サービスコード１０４ｃを用いてサービスを利用する場合は、スリット１０６ａ，１０６ｂ及びマイクロミシン１０７ａ〜１０７ｃからなる分離線によって、起立部１０２を分離していく。この分離線は、剥離開始部１０５から二手に分かれて折り部１０８の両端に向かっているので、剥離開始部１０５から、二手に分かれた部分のそれぞれによって起立部１０２が分離されていくことになる。分離線によって起立部１０２を分離していくと、まず、剥離開始部１０５が、分離線のうちスリット１０６ａ上に存在するため、図７（ａ）に示すように、分離線による起立部１０２の分離領域がスリット１０６ａの両端部に達する。この際、スリット１０６ａは、剥離開始部１０５から二手に分かれた部分の間隔が、折り部１０８に向かうにつれて広がっているものの、表台紙１１０を表裏貫通したスリット１０６ａであることから、スリット１０６ａに従って起立部１０２が分離していくこととなり、分離線以外の領域が破断することなく起立部１０２が分離されていく。
【００５２】
分離線による起立部１０２の分離領域が、スリット１０６ａの両端部に達した後、図７（ｂ）に示すように、マイクロミシン１０７ａ，１０７ｃが破断されていく。この際、マイクロミシン１０７ａ，１０７ｃは、折り部１０８に向かってほぼ並行しているため、起立部１０２を分離しようとする力が、マイクロミシン１０７ａ，１０７ｃが延びる方向以外には加わりにくく、それにより、分離線以外の領域が破断してしまうことはない。
【００５３】
マイクロミシン１０７ａ，１０７ｂが破断していき、分離線による起立部１０２の分離領域の一方が、スリット１０６ｂの剥離開始部１０５側の端部に達すると、図７（ｃ）に示すように、スリット１０６ｂ側の分離線による起立部１０２の分離領域が、スリット１０６ｂによってマイクロミシン１０７ｂの剥離開始部１０５側の端部に達する。この際、スリット１０６ｂは、マイクロミシン１０７ｃとの間隔が、折り部１０８に向かうにつれて広がっているものの、表台紙１１０を表裏貫通したスリット１０６ｂであることから、スリット１０６ｂに従って起立部１０２が分離していくこととなり、分離線以外の領域が破断することなく起立部１０２が分離されていく。
【００５４】
その後、マイクロミシン１０７ａ，１０７ｂが破断していき、分離線による起立部１０２の分離領域が折り部１０８の両端部に達する。この際、マイクロミシン１０７ｂ，１０７ｃは、折り部１０８に向かってほぼ並行しているため、起立部１０２を分離しようとする力が、マイクロミシン１０７ｂ，１０７ｃが延びる方向以外には加わりにくく、それにより、分離線以外の領域が破断してしまうことはない。
【００５５】
分離線による起立部１０２の分離領域が折り部１０８の両端部に達すると、図７（ｄ）に示すように、折り部１０８を軸として起立部１０２を起立させることができ、起立部１０２の裏台紙１２０との貼着面に表示されたサービスコード１０４ｃが視認可能な状態となる。そして、視認可能となったサービスコード１０４ｃを用いてサービスを利用することができる。
【００５６】
このように、本形態においても、起立部１０２を分離するための分離線が、起立部１０２が分離を開始する分離開始部１０５から二手に分かれて折り部１０８に向かう形状を有し、その一部に、二手に分かれた部分の間隔が折り部１０８に向かうにつれて広がっていく第１の領域を有しているが、その第１の領域の少なくとも一部が、表台紙１１０を表裏貫通したスリットによって構成されていることにより、その領域においてはスリットに従って起立部１０２が分離していくこととなり、分離線以外の領域が破断しにくくなる。また、そのように分離線以外の領域を破断しにくくするためにスリットを用いた構成において、第１の領域以外の領域の少なくとも一部がマイクロミシンによって構成されていることにより、起立部１０２が起立していない状態において、折り部１０８以外の領域においても起立部１０２をマイクロミシンによって安定して固定しておくことができる。
【００５７】
また、上述した２つの実施の形態においては、起立部２，１０２が折り部８，１０８によって表台紙１０，１１０から完全に分離せずに起立し、起立した状態が保持されることで切り起こしフォーム１，１０１がペーパーフィギュアともなるため、このペーパーフィギュアを収集するという面からも切り起こしフォーム１，１０１の購買意欲が掻き立てられる。
【００５８】
なお、上述した２つの実施の形態においては、第１のシートである表台紙１０，１１０と、第２のシートである裏台紙２０，１２０とが積層、貼着されたものを例に挙げて説明したが、本発明の切り起こしフォームとしては、第１のシートとなる表台紙のみで構成したものであってもよい。
【００５９】
また、上述した２つの実施の形態においては、起立部２，１０２の裏台紙２０，１２０との貼着面に、利用者がサービスを利用するためのサービスコード４ｃ，１０４ｃが表示されているが、起立部２，１０２の裏台紙２０，１２０との貼着面に、サービスコード４ｃ，１０４ｃの代わりにＰＩＮコードを例えば二次元コード等によって表示することも考えられる。その場合、利用者は、起立部２，１０２の裏台紙２０，１２０との貼着面に表示されたＰＩＮコードと、表台紙１０，１１０の剥離片部２３，１２３に対向する領域に表示されたＰＩＮコード４ａ，１０４ａとのいずれかを携帯端末に入力してサービス提供サーバに送信すること等により、提供されたサービスを利用することができる。また、起立部２，１０２の裏台紙２０，１２０との貼着面に、サービスコード４ｃ，１０４ｃの代わりにＰＩＮコードを表示した場合は、表台紙１０，１１０にＰＩＮコード４ａ，１０４ａを表示しない構成とすることもできる。
【符号の説明】
【００６０】
１，１０１    切り起こしフォーム
２，１０２    起立部
３ａ，３ｂ，１０３ａ，１０３ｂ    孔部
４ａ，１０４ａ    ＰＩＮコード
４ｂ，１０４ｂ    ＰＯＳコード
４ｃ，１０４ｃ    サービスコード
５，１０５    剥離開始部
６ａ〜６ｃ    スリット部
６ｄ，６ｅ    タイ部
６ｆ〜６ｈ，１０６ａ，１０６ｂ    スリット
７ａ〜７ｅ，２２ａ，１０７ａ〜１０７ｃ，１２２ａ    マイクロミシン
８，１０８    折り部
１０，１１０    表台紙
１１    上紙
１２    下紙
２０，１２０    裏台紙
２１，１２１    通知情報
２２，１２２    切り離し線
２２ｂ，１２２ｂ    ジッパー部
２２ｃ，１２２ｃ    ミシン目
２３，１２３    剥離片部
３０，１３０    剥離ニス
４０，１４０    擬似接着剤
【図１】
2016124145.tif 000003
【図２】
2016124145.tif 000004
【図３】
2016124145.tif 000005
【図４】
2016124145.tif 000006
【図５】
2016124145.tif 000007
【図６】
2016124145.tif 000008
【図７】
2016124145.tif 000009